(57)【特許請求の範囲】
【請求項１】
電子メールを作成する作成手段と、
各通信事業者に対応する電子メールの特殊表示用のコードを記憶している記憶手段と、
前記作成手段により自端末の通信事業者に基づく特殊表示用のコードを使用して電子メールを作成すると、該コードに対応する他の通信事業者のコードも当該電子メールに付加する付加手段と、
を備えたことを特徴とする通信端末。
【請求項２】
自端末の通信事業者に基づく特殊表示用のコードを使用して電子メールを作成すると、端末が該コードに対応する他の通信事業者のコードも当該電子メールに付加する
ことを特徴とする電子メール作成方法。
【発明の詳細な説明】
【技術分野】
【０００１】
本発明は、通信端末に関し、特に絵文字や文字色等の特殊表示用のコードを含む電子メールを、異なる通信事業者（キャリア）を介して送受信するのに好適な通信端末に関する。
【背景技術】
【０００２】
従来、通信事業者各社では、それぞれ独自のタグやコードやＨＴＭＬ（Ｈｙｐｅｒ  Ｔｅｘｔ  Ｍａｒｋｕｐ  Ｌａｎｇｕａｇｅ）文法を用いて電子メールをなすデータを規定している。
また、電子メールに加える絵文字（アイコンを含む）についても、各通信事業者毎に異なるタグやコードやＨＴＭＬ文法で作成されている。
そして、従来においては、受信した電子メール文章内の単語を絵文字に自動的に変換し、メール文章をコンパクト化して表示する技術も考え出されている。
【特許文献１】特開２０００−１６３３３７号公報
【発明の開示】
【発明が解決しようとする課題】
【０００３】
しかしながら、従来においては、異なる通信事業者にそれぞれ対応した２つの携帯電話間で電子メールの送受信をする場合、送信側の携帯電話で通信事業者独自の特殊な絵文字を使用して電子メールを作成し送信すると、受信側の携帯電話ではその特殊な絵文字を正しく表示できず文字化けを起こしてしまうという問題点があった。
【０００４】
また、近年、携帯端末の電子メールの表現方法を広げるために、文字を太字や斜体にしたり、色彩を付けたり、又は点滅させたりするなどの手法が取られている。
このような文字の修飾も絵文字同様にタグやコードを用いて記述されているが、通信事業者毎に異なるタグやコードを用いている場合は正しく表示できず文字化けを起こしてしまうという問題があった。
【０００５】
本発明は、上記問題点を解決するためになされたものであり、異なる通信事業者に対応した通信端末間において、通信事業者独自の絵文字や文字の修飾等の特殊表示用のコードを電子メールに含めて送受信しても、文字化けが生ずることなく正常に送受信して表示することができる通信端末を提供することを目的とする。
【課題を解決するための手段】
【０００６】
上記目的を達成するために、請求項１に記載の発明は、電子メールを作成する作成手段と、各通信事業者に対応する電子メールの特殊表示用のコードを記憶している記憶手段と、前記作成手段により作成された電子メールに自端末の通信事業者に基づく特殊表示用のコードが含まれている場合、該コードに対応する他の通信事業者のコードを付加する付加手段と、を備えたことを特徴とする。
【０００７】
請求項２に記載の発明は、前記作成された電子メールに含まれているコードは、電子メールのヘッダ情報に付加されていることを特徴とする。
【０００８】
請求項３に記載の発明は、前記作成された電子メールの送信先の通信事業者を識別する識別手段を備え、前記付加手段は、送信先の通信事業者に対応するコードのみを付加することを特徴とする。
【発明の効果】
【０００９】
本発明によれば、異なる通信事業者に対応した通信端末間において、通信事業者独自の絵文字や文字修飾等を電子メールに含めて送受信しても、文字化けが生ずることなく正常に送受信して表示することができる。
【発明を実施するための最良の形態】
【００１０】
以下、図面を参照し、本発明の一実施形態に係る通信端末ついて説明する。
本実施形態では、通信端末の適用例として携帯電話を挙げて説明する。
又、絵文字を例として変換方法を説明する。
【００１１】
図１は本発明の実施形態に係る絵文字変換機能を有する携帯電話が用いられる通信システムの概要を示す概念図である。
携帯電話１１，１２は、本発明の実施形態に係る絵文字変換機能を有する通信端末である。
携帯電話１１は、例えば第１通信事業者の社内規格などに対応したものであり、第１通信事業者独自の絵文字コードを用いて電子メールを作成して送受信することができる。
また、携帯電話１１は、第１通信事業者独自の絵文字コードで作成された絵文字をその電子メールに加えることができる。
ここで、絵文字とは、アイコンを含む概念であり、文字データ又は記号データの組み合わせで描かれたイラストも含む。
さらに携帯電話１１は、第１通信事業者以外の通信事業者で規定された絵文字についてコード（データ）を電子メールに加えることができる、後述する他の機能も有している。
【００１２】
携帯電話１２は、例えば、第２通信事業者の社内規格などに対応したものであり、第２通信事業者独自の絵文字コードを用いて電子メールを作成して送受信することができる。
また、携帯電話１２は、第２通信事業者独自の絵文字コードで作成された絵文字をその電子メールに加えることができる。
さらに携帯電話１２は、第２通信事業者以外の通信事業者で規定された絵文字についてコード（データ）を電子メールに加えることができる、後述する他の機能も有している。
【００１３】
無線通信ネットワーク網２は、携帯電話１１，１２が接続される第１通信事業者、第２通信事業者のネットワークを含む無線通信ネットワークである。
ゲートウェイ３は、ネットワーク上で、媒体又はプロトコルが異なるデータを相互に変換して通信を可能にする装置である。
すなわち、ゲートウェイ３は通信媒体や伝送方式の違いを吸収して異機種間の接続を可能とする。
ＩＰネットワーク網４は、インターネットプロトコルによる通信網である。
無線通信ネットワーク網２とＩＰネットワーク網４は、ゲートウェイ３で接続されている。
【００１４】
メールサーバ５１，５２は、ＩＰネットワーク網４に常時接続され、自分のユーザに関わる電子メールを送受信するコンピュータである。
例えば、メールサーバ５１は第１通信事業者が管理するメールサーバであり、メールサーバ５２は第２通信事業者が管理するメールサーバとする。
これらにより、例えば携帯電話１１から携帯電話１２宛に送信された電子メールは、無線通信ネットワーク網２、ゲートウェイ３、ＩＰネットワーク網４及びメールサーバ５１，５２を介して携帯電話１２に受信され、携帯電話１２で表示される。
【００１５】
次に、携帯電話１１の詳細について図２を参照して説明する。
図２は、携帯電話１１の構成を示すブロック図である。
携帯電話１２は携帯電話１１と同じ構成をしているものとする。
携帯電話１１は、アンテナ１１１、無線部１１２、制御部１１３、音声処理部１１４、送話部１１５、受話部１１６、操作部１１７、表示部１１８、記憶部１１９を備えている。
記憶部１１９は予め絵文字情報１２０を記憶している。
【００１６】
アンテナ１１１及び無線部１１２は、通話内容又は電子メールを無線信号に変換して送受信するものである。
制御部１１３は、携帯電話１１の各部を制御するものであり、ＣＰＵなどからなる。
音声処理部１１４は、送話部１５をなすマイク等から入力された音声信号及び受話部１１６をなすスピーカ等から出力する音声信号について処理するものである。
操作部１１７は、電源キー、通話開始キー、通話終了キー、数字文字キー、各種メニューを表示させるためのジョグキーなどからなる。
操作部１１７を操作することで、通話、メール作成、メール送受信などをすることができる。
【００１７】
表示部１１８は、メール作成編集内容、受信メールの内容、携帯電話１１についての各種設定内容などを表示するものである。
記憶部１１９は、制御部１１３の動作を規定する各種プログラム及びデータを記憶している。
また、記憶部１１９は、現在存在する全ての通信事業者各社（例えば上記第１通信事業者、第２通信事業者など）に対応したデータであって、絵文字をなすタグ及び絵文字データからなる絵文字情報（各通信事業者コード）１２０を記憶している。
【００１８】
次に、携帯電話１１，１２における絵文字付き電子メールの送受信動作について、図３を参照して説明する。
図３は携帯電話１１，１２の送受信動作を示す説明図である。
まず、ユーザが携帯電話１１の表示部１１８を参照しながら操作部１１７を操作することで電子メールの作成をする（Ｓ１）。
例えば、「きょうは天気がいいにで車の洗車に行きます。」というように文字を入力する。
この作成においては、絵文字を選択して上記文字における単語に代わりに用いる（Ｓ２）。
例えば「車」という単語のかわりに車の絵（車の絵文字）を入力する。
この車の絵のような多数種類の絵文字が絵文字情報１２０として記憶部１１９に予め記憶されている。
【００１９】
次いで、操作部１１７を操作することで、ステップＳ１，Ｓ２で編集した絵文字を含む電子メールの内容について、確定し、さらに記憶部１１９に一旦保存する。
すると、その電子メールの内容における「車」の絵文字部分には、＜ｅｍｏｊｉ１＞というデータが挿入される（Ｓ３）。
この＜ｅｍｏｊｉ１＞データは、絵文字情報１２０の一部であり、現在存在する全ての通信事業者各社に適合した絵文字用のタグである。
【００２０】
次いで、操作部１１７を操作することで、ステップＳ３で確定され保存された電子メールを例えば携帯電話１２に送信する。
ここで送信される電子メールのヘッダ情報には、絵文字を引用している旨を示す情報が付加される。
その絵文字を引用している旨を示す情報とは、例えば「＜ｅｍｏｊｉ１＞＝ａａａ＠ｅｚ；ｂｂｂ＠ｊｐｈ；ｃｃｃ＠ｄｏｃ；」とする（Ｓ４）。
この絵文字を引用している旨を示す情報において、例えば「ａａａ＠ｅｚ」は第１通信事業者独自の絵文字コードを示し、「ｂｂｂ＠ｊｐｈ」は第２通信事業者独自の絵文字コードを示し、「ｃｃｃ＠ｄｏｃ」は第３通信事業者独自の絵文字コードを示すものである。
したがって、携帯電話１１の表示部１１８には「ａａａ＠ｅｚ」の絵文字コードで「車」の絵文字が現されている。
【００２１】
次いで、携帯電話１２は、ステップＳ４で携帯電話１１から送信された電子メールを受信する（Ｓ１１）。
すると、携帯電話１２の制御部１１３は、受信した電子メールのヘッダ情報に絵文字を引用している旨を示す情報が含まれていると判断し、この判断結果を表示部１１８に通知する。
すると、携帯電話１２の表示部１１８は、受信した電子メールの絵文字情報から第２通信事業者に適用される絵文字コードを読み取り、それ以外の通信事業者に適用される絵文字コードは読み飛ばし、記憶部から絵文字を読み出し、表示バッファへ展開し、表示する。
したがって、携帯電話１２の表示部１１８には「ｂｂｂ＠ｊｐｈ」の絵文字コードで「車」の絵文字が現されている（Ｓ１２，Ｓ１３）。
【００２２】
これらにより、本実施形態の携帯電話１１，１２によれば、電子メールの送信者側において、ある通信事業者独自の特殊な絵文字を使用して電子メールを作成したとき、その絵文字を示す情報に複数の通信事業者に適合した絵文字情報（キャリア別のコード）１２０を付加することができる。
また、受信者側の携帯電話１２，１１では、受信した電子メールに含まれる絵文字情報１２０のうち、自端末に適合した絵文字情報を選択して表示することができる。
したがって、本実施形態によれば、異なる通信事業者に対応した携帯電話１１，１２間において、通信事業者独自の絵文字を電子メールに含めて送受信しても、文字化けが生ずることなく正常に送受信して表示することができる。
【００２３】
なお、上記実施例では絵文字の有無をメールのヘッダ情報で識別しているが、絵文字のタグに基づいて絵文字の有無を識別しても構わない。
また、同様に文字の修飾についてもタグにより有無を識別し、各通信事業者に適用させるコードをそれぞれ付加しても良い。
【００２４】
また、上記実施例の他に、通信先の通信事業者を識別して、通信先の通信事業者に適用されるコードのみを付加するようにしても構わない。
このように、送信先の通信事業者に適用されるコードのみに限定することで、送信する電子メールのデータ量を削減することができる。
【００２５】
以上、本発明の実施形態について図面を参照して詳述してきたが、具体的な構成はこの実施形態に限られるものではなく、本発明の要旨を逸脱しない範囲の設計変更等も含まれる。
上記実施形態では、絵文字変換機能を有する通信端末として携帯電話を挙げているが、本発明はこれに限定されるものではなく、ＰＨＳ（Ｐｅｒｓｏｎａｌ  Ｈａｎｄｙｐｈｏｎｅ  Ｓｙｓｔｅｍ）、パーソナルコンピュータ、ＰＤＡ（Ｐｅｒｓｏｎａｌ  Ｄｉｇｉｔａｌ  Ａｓｓｉｓｔａｎｃｅ）などの通信端末に本発明を適用してもよい。
【図面の簡単な説明】
【００２６】
【図１】本発明の実施形態に係る絵文字変換機能を有する携帯電話が用いられる通信システムの概要を示す概念図である。
【図２】同上の携帯電話の構成を示すブロック図である。
【図３】同上の携帯電話の送受信動作を示す説明図である。
【符号の説明】
【００２７】
２；無線通信ネットワーク網、３；ゲートウェイ、４；ＩＰネットワーク網、１１，１２；携帯電話、５１，５２；メールサーバ、１１１；アンテナ、１１２；無線部、１１３；制御部、１１４；音声処理部、１１５；送話部、１１６；受話部、１１７；操作部、１１８；表示部、１１９；記憶部、１２０；絵文字情報
【図１】
0004698689.tif 000002
【図２】
0004698689.tif 000003
【図３】
0004698689.tif 000004